(57)【特許請求の範囲】
【請求項１】
光源部と；
照射開口を有し、前記光源部を収容する本体部と；
前記本体部の外側面に配設される取り付け金具と；
前記本体部の他方の照射開口周囲に、前記本体部に対して回転方向に移動可能に設けられた化粧枠と；
前記本体部の前記他方の端部側から外方に向けて突出し、前記化粧枠と対向する面を有するフランジ部と；
一方の端部側が前記化粧枠に設けられ、他方の端部側が前記フランジ部の前記化粧枠側とは反対側に位置する保持部と；
を具備した照明装置。
【請求項２】
前記化粧枠は、前記化粧枠の中心軸に対して回転方向に形態の異方性を有する請求項１記載の照明装置。
【請求項３】
前記化粧枠の前記回転方向における移動が所定の回転角度の範囲内となるように規定する回転角度規定部をさらに具備した請求項１または２に記載の照明装置。
【発明の詳細な説明】
【技術分野】
【０００１】
本発明の実施形態は、照明装置に関する。
【背景技術】
【０００２】
天井や壁などに埋め込まれる照明装置がある。  
この様な埋め込み型の照明装置には、化粧枠が設けられている。化粧枠を設ける様にすれば、天井や壁などに設けられた穴に照明装置を設置した際に、化粧枠により穴を覆い隠すことができる。  
ここで、化粧枠には、化粧枠の中心軸に対して回転方向に形態の異方性（方向性）を有するものがある。例えば、平面形状が、多角形や楕円などの化粧枠がある。また、平面形状が、円形であっても模様などの装飾が施されている場合もある。  
そのため、照明装置を複数設置した際に化粧枠同士の向きを揃えることが必要となる場合がある。
一般的に、化粧枠は照明装置に設けられた本体部に固定されているため、照明装置の回転方向における向きを調整することで化粧枠同士の向きを揃える様にしている。
【０００３】
ところが、天井裏や壁の内部などには梁などの障害物がある場合がある。  
照明装置に設けられた取り付け金具などが障害物と干渉すると、照明装置の回転方向における向きを調整するのが困難となる。  
また、複数の照明装置の回転方向における向きを調整するのには多大な労力を要する。
そのため、化粧枠の回転方向における向きを変化させることができる照明装置の開発が望まれていた。
【先行技術文献】
【特許文献】
【０００４】
【特許文献１】特開２０１３−１８２７３４号公報
【発明の概要】
【発明が解決しようとする課題】
【０００５】
本発明が解決しようとする課題は、化粧枠の回転方向における向きを変化させることができる照明装置を提供することである。
【課題を解決するための手段】
【０００６】
実施形態に係る照明装置は、光源部と；照射開口を有し、前記光源部を収容する本体部と；前記本体部の外側面に配設される取り付け金具と；前記本体部の他方の照射開口周囲に、前記本体部に対して回転方向に移動可能に設けられた化粧枠と；前記本体部の前記他方の端部側から外方に向けて突出し、前記化粧枠と対向する面を有するフランジ部と；一方の端部側が前記化粧枠に設けられ、他方の端部側が前記フランジ部の前記化粧枠側とは反対側に位置する保持部と；を具備している。
【発明の効果】
【０００７】
本発明の実施形態によれば、化粧枠の回転方向における向きを変化させることができる照明装置を提供することができる。
【図面の簡単な説明】
【０００８】
【図１】本実施の形態に係る照明装置１を例示するための模式断面図である。
【図２】化粧枠５１同士の向きが不揃いとなった場合を例示するための模式平面図である。
【図３】回転角度規定部６を例示するための模式断面図である。
【図４】（ａ）、（ｂ）は、他の実施形態に係る回転角度規定部１６、２６を例示するための模式斜視図である。
【発明を実施するための形態】
【０００９】
実施形態に係る発明は、光源部と；照射開口を有し、前記光源部を収容する本体部と；前記本体の外側面に配設される取り付け金具と；前記本体部の他方の照射開口周囲に、前記本体部に対して回転方向に移動可能に設けられた化粧枠と；前記本体部の前記他方の端部側から外方に向けて突出し、前記化粧枠と対向する面を有するフランジ部と；一方の端部側が前記化粧枠に設けられ、他方の端部側が前記フランジ部の前記化粧枠側とは反対側に位置する保持部と；を具備した照明装置である。
この照明装置によれば、化粧枠の回転方向における向きを変化させることができる。また、この様にすれば、簡易な構成とすることができるので、製造コストの低減や生産性の向上を図ることができる。
【００１１】
また、前記化粧枠は、前記化粧枠の中心軸に対して回転方向に形態の異方性を有するものとすることができる。  
この様にすれば、照明装置が埋め込まれる天井板や壁面に合わせて種々の形態を採用することができる。
【００１２】
また、前記化粧枠の前記回転方向における移動が所定の回転角度の範囲内となるように規定する回転角度規定部をさらに具備することができる。  
回転角度規定部を設けるようにすれば、回転角度の終端において化粧枠の移動が停止する。化粧枠を回転角度の終端以上に移動しようとすれば、本体部が回転方向に移動する。  すなわち、回転角度規定部を設けるようにすれば、化粧枠により本体部を回転方向に移動させることができる。  
そのため、照明装置の再設定などが容易となる。
【００１３】
以下、図面を参照しつつ、実施の形態について例示をする。また、各図面中、同様の構成要素には同一の符号を付して詳細な説明は適宜省略する。  
なお、以下においては、一例として、本実施の形態に係る照明装置が、天井板に設けられた埋込穴に埋め込まれるダウンライトである場合を説明する。  
ただし、本実施の形態に係る照明装置は、埋め込み型の照明装置であればよく、ダウンライトに限定されるわけではない。  
図１は、本実施の形態に係る照明装置１を例示するための模式断面図である。  
図１に示すように、照明装置１には、筐体２、電源部３、照明部４、化粧部５、および回転角度規定部６が設けられている。
【００１４】
筐体２は、電源部３および照明部４を保持する。  
筐体２は、Ｌ字状に屈曲している。筐体２の一方の端面には照明部４が設けられている。筐体２の照明部４が設けられる側とは反対側には、凹部２ａが設けられている。凹部２ａの内部には、電源部３が設けられている。筐体２の他方の端部には、端子台３ｃが設けられている。
【００１５】
また、筐体２は、電源部３において発生した熱を外部に放出する機能を有する。  
そのため、筐体２は、熱伝導率の高い材料から形成されている。筐体２は、例えば、アルミニウム（Ａｌ）、銅（Ｃｕ）、及びこれらの合金などの金属、窒化アルミニウム（ＡｌＮ）などの無機材料、高熱伝導性樹脂などの有機材料などから形成することができる。
また、筐体２の外面に、放熱フィンを設けることもできる。
【００１６】
なお、筐体２は、必ずしも必要ではなく省くこともできる。  
例えば、電源部３が外部に設けられる場合には、筐体２を設ける必要はない。  
この場合、筐体２に代えて、外部に設けられた電源部３と照明部４とを電気的に接続する端子台を取り付けるブラケットを設けることができる。端子台を取り付ける図示しないブラケットは、照明部４の化粧部５が設けられる側とは反対側の端部に設けることができる。端子台を取り付けるブラケットは、例えば、板金加工などにより形成することができる。
【００１７】
電源部３は、照明部４（光電部４４）に電力を供給する点灯回路を有する。また、電源部３は、照明部４（光電部４４）の調光を行うための調光回路をも有するものとすることができる。  
なお、電源部３は、絶縁部３ａを介して凹部２ａの内部に設けられている。また、凹部２ａの開口を塞ぐ蓋３ｂを設けることができる。電源部３は、配線３ｄを介して端子台３ｃと電気的に接続されている。
【００１８】
照明部４には、本体部４１、反射部４２、基板４３、光電部４４、カバー４５、伝熱シート４６、および取り付け金具４７が設けられている。  
本体部４１は、光電部４４が設けられる側とは反対側の端部にフランジ部４１ａを有する。フランジ部４１ａは、環状を呈する板状体とすることができる。フランジ部４１ａは、本体部４１から外方に向けて突出している。フランジ部４１ａの光電部４４が設けられる側とは反対側の面は、化粧枠５１と対向している。  
本体部４１は、照射開口（段付き穴４１ｂの開口）を有し、光源部４４を収容する。  
本体部４１は、軸方向に貫通する段付き穴４１ｂを有する。段付き穴４１ｂの筐体２側の断面寸法は、化粧部５側の断面寸法よりも短くなっている。段付き穴４１ｂの筐体２側には、反射部４２、基板４３、光電部４４、カバー４５、および伝熱シート４６が設けられる。段付き穴４１ｂの化粧部５側は、化粧部５側に向かうに従い断面寸法が漸増している。段付き穴４１ｂの化粧部５側は、反射体（リフレクタ）の機能を有する。  
本体部４１は、例えば、ＡＢＳ樹脂などの有機材料から形成することができる。ただし、本体部４１の材料は有機材料に限定されるわけではない。本体部４１の材料は、例えば、アルミニウムなどの金属であってもよい。
【００１９】
反射部４２は、段付き穴４１ｂに嵌め込まれている。反射部４２は、軸方向に貫通する穴４２ａを有する。穴４２ａは、化粧部５側に向かうに従い断面寸法が漸増している。  
反射部４２は、例えば、紫外線に対する耐性、耐熱性、および電気絶縁性を有する白色の有機材料などから形成することができる。ただし、反射部４２の材料は有機材料に限定されるわけではない。反射部４２の材料は、例えば、アルミニウムなどの金属であってもよい。
【００２０】
基板４３は、反射部４２の筐体２側に設けられている。基板４３は、筐体２の端面に取り付けられている。なお、筐体２が設けられない場合には、基板４３は、本体部４１や、前述した端子台を取り付ける図示しないブラケットなどに取り付けることができる。  
基板４３は、板状を呈し、表面に図示しない配線パターンを有している。図示しない配線パターンは、配線などを介して電源部３と電気的に接続されている。
【００２１】
基板４３の材料や構造には特に限定はない。例えば、基板４３の材料は、紙フェノールやガラスエポキシなどの有機材料、セラミックスなどの無機材料、金属板の表面を絶縁体で被覆したものなどとすることができる。  
光電部４４の発熱量が多い場合には、放熱の観点から熱伝導率の高い材料を用いて基板を形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
また、基板４３は、単層であってもよいし、多層であってもよい。
【００２２】
光電部４４は、例えば、発光ダイオード、有機発光ダイオード、レーザダイオードなどの発光素子とすることができる。  
なお、一例として、光電部４４が発光素子の場合を例示したが、光電部４４は、白熱電球や蛍光灯などの他の光源であってもよい。
光電部４４は、本体部４１の化粧枠５１側とは反対側に設けられている。光電部４４は、段付き穴４１ｂの内部に露出している。  
光電部４４は、基板４３の化粧枠５１側の面に実装されている。光電部４４は、反射部４２の穴４２ａの内部に露出する位置に設けられている。光電部４４は、基板４３に設けられた図示しない配線パターンと電気的に接続されている。  
光電部４４の数には特に限定はなく、照明装置１の用途や光電部４４の大きさなどに応じて１個以上の光電部４４が設けられるようにすればよい。  
光電部４４の配設形態にも特に限定はなく、マトリックス状、千鳥状、放射状などのように規則的な配設形態とすることもできるし、任意の配設形態とすることもできる。
【００２３】
カバー４５は、反射部４２の化粧枠５１側に設けられている。カバー４５は、板状を呈し、透光性を有する材料から形成されている。カバー４５は、例えば、アクリル樹脂、ポリカーボネート樹脂、ガラスなどの透明材料から形成することができる。なお、カバー４５は、透光性を有していればよく、例えば、着色されていたり、レンズなどの光学要素が設けられていたり、光拡散粒子などを含んでいたり、表面に微細な凹凸が設けられていたりしてもよい。
【００２４】
伝熱シート４６は、基板４３と筐体２との間に設けられている。  
伝熱シート４６は、熱伝導率が高く、弾性を有する材料から形成されている。伝熱シート４６は、例えば、無機材料からなるフィラーが添加されたシリコンゴムなどから形成することができる。  
なお、伝熱シート４６に代えて、伝熱グリース（放熱グリース）などを塗布するようにしてもよい。  
また、光電部４４の発熱量が少ない場合などには、伝熱シート４６を省くこともできる。
【００２５】
取り付け金具４７は、本体部４１の外側面に配設されている。  
取り付け金具４７の一方の端部は、本体部４１に設けられている。  
取り付け金具４７の他方の端部側は、本体部４１の外方に向けて延びている。  
取り付け金具４７は、帯状を呈し、弾性材料から形成されている。取り付け金具４７は、例えば、板バネ材料から形成することができる。  
取り付け金具４７は、複数設けられている。複数の取り付け金具４７は、本体部４１の周りに等間隔となるように設けることができる。
【００２６】
筐体２、電源部３、および照明部４を天井板１００に設けられた埋込穴１００ａに挿入する際には、取り付け金具４７を本体部４１に近接させるように弾性変形させる。  
筐体２、電源部３、および照明部４が天井板１００の裏側に到達すると、取り付け金具４７の弾性力により、天井板１００が取り付け金具４７と化粧部５（化粧枠５１）との間に挟まれる。  
そのため、照明装置１が天井板１００に保持される。  
また、化粧部５（化粧枠５１）により、埋込穴１００ａを覆い隠すことができる。
【００２７】
化粧部５は、本体部４１のフランジ部４１ａ側に設けられている。  
化粧部５（化粧枠５１）の中心軸５１ａは、本体部４１に設けられた段付き穴４１ｂの中心軸４１ｂａの位置にある。  
そのため、化粧部５（化粧枠５１）は、段付き穴４１ｂの中心軸４１ｂａを中心として回転方向に移動することができる。
【００２８】
化粧枠５１は、本体部４１の他方の照射開口（段付き穴４１ｂの開口）周囲に、本体部４１に対して回転方向に移動可能に設けられている。
化粧枠５１は、本体部４１の光電部４４が設けられる側とは反対側に設けられている。  化粧枠５１は、本体部４１に対して回転方向に移動可能に設けられている。
化粧部５は、化粧枠５１および保持部５２を有する。  
化粧枠５１は、板状を呈し、軸方向に貫通する穴５１ｂを有する。穴５１ｂの中心軸５１ｂａは、化粧枠５１の中心軸５１ａの位置にある。  
化粧枠５１の本体部４１側には、凹部５１ｃを設けることができる。凹部５１ｃの内部には、保持部５２を設けることができる。  
なお、凹部５１ｃは必ずしも必要ではなく省くこともできる。  
ただし、凹部５１ｃを設けるようにすれば、保持部５２と天井板１００とが干渉するのを抑制することができる。そのため、埋込穴１００ａを小さくすることができ、ひいては化粧枠５１の小型化を図ることができる。  
化粧枠５１の材料には特に限定がない。化粧枠５１の材料は、例えば、金属、樹脂などの有機材料、セラミックスなどの無機材料、木材などとすることができる。また、化粧枠５１の色、模様、平面形状などは、天井板１００の色彩や質感などに応じて適宜変更することができる。
【００２９】
化粧枠５１は、化粧枠５１の中心軸５１ａに対して回転方向に形態の異方性を有する。  例えば、平面形状が多角形や楕円などの化粧枠５１とすることができる。また、化粧枠５１の天井板１００側とは反対側の面に模様、文字、記号などの装飾が施されている化粧枠５１とすることもできる。  
なお、以下においては、一例として、化粧枠５１の平面形状が四角形である場合を説明する。
【００３０】
ここで、化粧枠５１は中心軸５１ａに対して回転方向に形態の異方性を有しているため、複数の照明装置１を設置した際に化粧枠５１同士の向きが不揃いになる場合がある。  
図２は、化粧枠５１同士の向きが不揃いとなった場合を例示するための模式平面図である。  
図２に示すように、化粧枠５１同士の向きが不揃いとなった場合には、煩雑となり見栄えが悪くなる。  
そのため、照明装置１を複数設置した際に化粧枠５１同士の向きを揃えることが必要となる場合がある。  
この場合、本体部４１の回転方向における向きを調整することで化粧枠５１同士の向きを揃えることもできる。
【００３１】
ところが、天井裏や壁の内部などには梁などの障害物がある場合がある。  
また、取り付け金具４７は、本体部４１の外方に向けて延びている。  
そのため、取り付け金具４７と障害物が干渉して、照明装置１の回転方向における向きを調整するのが困難となる場合がある。  
また、複数の照明装置１の回転方向における向きを調整するのには多大な労力を要する。
そのため、本実施の形態においては、化粧枠５１の回転方向における向きを変化させることができるようになっている。
【００３２】
保持部５２の一方の端部側は、化粧枠５１に設けられている。保持部５２の他方の端部側は、フランジ部４１ａの化粧枠５１側とは反対側に位置している。  
保持部５２の他方の端部側と化粧枠５１との間の寸法は、フランジ部４１ａの厚み寸法よりも若干長くなっている。  
また、保持部５２は、フランジ部４１ａ（本体部４１）が中心軸４１ｂａに直交する方向に移動するのを抑制する。  
そのため、化粧枠５１と保持部５２は、本体部４１に対して回転方向に移動することができる。
【００３３】
なお、保持部５２は、図１に例示をしたものに限定されるわけではなく、本体部４１に対して化粧枠５１が回転方向に移動することができるようになっていればよい。
例えば、平板状の板材と、板材と化粧枠５１との間に設けられ、フランジ部４１ａの厚みよりも厚いスペーサと、を備えたものであってもよい。
【００３４】
化粧枠５１の回転方向における向きは、例えば、以下の様にして調整することができる。
化粧枠５１の回転方向における向きを変化させる場合には、化粧枠５１を天井板１００から離隔させるように引っ張る。すると、取り付け金具４７が撓んで、化粧枠５１と天井板１００との間に隙間が生じる。この状態で化粧枠５１を回転方向に移動させて化粧枠５１の向きが所望の向きとなるようにする。  
所望の向きとなった化粧枠５１を離すと、取り付け金具４７によりフランジ部４１ａが天井板１００の裏側に向けて引き込まれる。  
すると、化粧枠５１が天井板１００に押し付けられる。  
化粧枠５１が天井板１００に押し付けられると、摩擦力が発生するので天井板１００に対する化粧枠５１の移動が抑制される。  
そのため、所望の向きとなった化粧枠５１の位置を維持することができる。  
なお、化粧枠５１の天井板１００側の面にゴムなどの摩擦係数の高いシートなどを設けることもできる。  
その様にすれば、化粧枠５１の位置を維持することが容易となる。
【００３５】
また、化粧枠５１の回転方向における移動が所定の回転角度の範囲内となるように規定することもできる。  
図３は、回転角度規定部６を例示するための模式断面図である。  
なお、図３は、図１におけるＡ−Ａ’線断面図である。  
図３においては、煩雑となるのを避けるために、取り付け金具４７などを省いて描いている。  
回転角度規定部６は、化粧枠５１の回転方向における移動が所定の回転角度の範囲内となるように規定する。  
図３に示すように、回転角度規定部６は、リブ４１ｃと凸部５２ａを有する。  
リブ４１ｃは、フランジ部４１ａの化粧枠５１側とは反対側の面に複数設けられている。
リブ４１ｃは、円弧状を呈している。  
この場合、リブ４１ｃの中心軸４１ｃａは、段付き穴４１ｂの中心軸４１ｂａの位置にあるようにすることができる。  
すなわち、段付き穴４１ｂの中心軸４１ｂａ、リブ４１ｃの中心軸４１ｃａ、穴５１ｂの中心軸５１ｂａ、および化粧部５の中心軸５１ａは、同じ位置にある（同芯）ようにすることができる。  
凸部５２ａは、保持部５２に設けられている。凸部５２ａは、リブ４１ｃ同士の間において、リブ４１ｃ側に向けて突出している。凸部５２ａは、リブ４１ｃの円周方向の端面に接触可能となっている。
【００３６】
化粧枠５１を反時計回りに移動させると、図３に示すように、リブ４１ｃの一方の端部に凸部５２ａが接触して化粧枠５１の移動が規定（制限）される。  
化粧枠５１を時計回りに移動させると、リブ４１ｃの他方の端部に凸部５２ａが接触して化粧枠５１の移動が規定される。  
また、隣接するリブ４１ｃの端面間の距離を変えることで、回転角度の範囲を変化させることができる。  
なお、リブ４１ｃおよび凸部５２ａの数は、例示をしたものに限定されるわけではなく適宜変更することができる。  
また、リブを化粧枠５１や保持部５２に設け、凸部を本体部４１に設けることもできる。
【００３７】
回転角度規定部６を設けるようにすれば、回転角度の終端において化粧枠５１の移動が停止する。化粧枠５１を回転角度の終端以上に移動しようとすれば、本体部４１が回転方向に移動する。  
すなわち、回転角度規定部６を設けるようにすれば、化粧枠５１により本体部４１を回転方向に移動させることができる。  
そのため、照明装置１の再設定などが容易となる。
【００３８】
図４（ａ）、（ｂ）は、他の実施形態に係る回転角度規定部１６、２６を例示するための模式斜視図である。  
図４（ａ）に示すように、回転角度規定部１６は、穴部４１ａ１と突起部５３を有する。
穴部４１ａ１は、フランジ部４１ａを厚み方向に貫通している。穴部４１ａ１は、円弧状を呈している。  
突起部５３は、穴部４１ａ１の内部に設けられている。突起部５３の一方の端部は、化粧枠５１または保持部５２に設けられている。  
なお、穴部を化粧枠５１や保持部５２に設け、突起部を本体部４１に設けることもできる。
【００３９】
図４（ｂ）に示すように、回転角度規定部２６は、突起部５４と凸部５２ａを有する。  突起部５４は、所定の間隔をあけて複数設けられている。凸部５２ａは、突起部５４同士の間において、突起部５４側に向けて突出している。凸部５２ａは、突起部５４の円周方向の側面に接触可能となっている。  
すなわち、図４（ｂ）に例示をした回転角度規定部２６は、前述した回転角度規定部６のリブ４１ｃに代えて突起部５４を設けた場合である。  
なお、突起部を化粧枠５１や保持部５２に設け、凸部を本体部４１に設けることもできる。
【００４０】
以上、回転角度規定部のいくつかの実施形態を例示したが、回転角度規定部は、例示をしたものに限定されるわけではない。  
化粧枠５１の回転方向における移動が所定の回転角度の範囲内となるように規定することができるものであればよい。
【００４１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４２】
１  照明装置、２  筐体、３  電源部、４  照明部、５  化粧部、６  回転角度規定部、１６  回転角度規定部、２６  回転角度規定部、４１  本体部、４１ａ  フランジ部、４１ａ１  穴部、４１ｂ  段付き穴、４１ｂａ  中心軸、４１ｃ  リブ、４１ｃａ  中心軸、４２  反射部、４３  基板、４４  光源部、４５  カバー、４６  伝熱シート、４７  取り付け金具、５１  化粧枠、５１ａ  中心軸、５１ｂ  穴、５１ｂａ  中心軸、５２  保持部、５２ａ  凸部、５３  突起部、５４  突起部、１００  天井板、１００ａ  埋込穴
【図１】
0006504522.tif 000002
【図２】
0006504522.tif 000003
【図３】
0006504522.tif 000004
【図４】
0006504522.tif 000005